(57)【特許請求の範囲】
【請求項１】
アーム部と、
前記アーム部の長手方向の両端のうちの一方端と接続し、装着者がマスクを装着するときに、前記装着者の耳に掛けられる耳掛け部と、
前記アーム部の前記両端のうちの他方端と接続し、前記マスクのマスク本体と着脱可能に係合する係合部と
を備え、
前記マスク本体は、筒状又はポケット状の筒部を含み、
前記筒部は、前記マスク本体の耳側の端部に配置され、
前記筒部は、耳側の開口と、鼻側の孔部とを有し、
前記係合部は、板状であり、
前記係合部が前記マスク本体に係合された状態で、前記係合部が、前記孔部から張り出すとともに、前記アーム部が、前記筒部の内部を通って前記開口から前記耳掛け部まで延びる、耳掛けアーム。
【請求項２】
前記係合部は、
前記アーム部の前記他方端と接続する基端部と、
前記基端部と接続し、前記アーム部の長手方向において前記基端部よりも張り出している先端部と
を有する、請求項１に記載の耳掛けアーム。
【請求項３】
前記基端部は、
前記アーム部の前記他方端と接続する第１基端部と、
前記第１基端部と前記先端部との間を連絡する第２基端部と
を有し、
前記第１基端部は、前記第２基端部よりも張り出している、請求項２に記載の耳掛けアーム。
【請求項４】
前記アーム部は、前記係合部から略直線状に延び、
前記装着者が前記マスクを装着した状態において、前記耳掛け部は、前記アーム部の前記一方端から前記耳の上方に向けて曲がり、略半円弧状に延びる、請求項１から請求項３のいずれか１項に記載の耳掛けアーム。
【請求項５】
前記第１基端部は、前記第２基端部の側で前記第２基端部よりも張り出しており、前記アーム部に向かって細くなり、
前記係合部が前記マスク本体に係合された状態で、前記第１基端部及び前記第２基端部は、前記筒部の内部に位置する、請求項３に記載の耳掛けアーム。
【請求項６】
装着者の一方耳側の第１端部と他方耳側の第２端部とを有する本体部と、
前記本体部の前記第１端部に配置され、一方耳側の第１開口と、鼻側の第１孔部とを有する第１筒部と、
前記本体部の前記第２端部に配置され、他方耳側の第２開口と、鼻側の第２孔部とを有する第２筒部と
を備え、
一対の耳掛けアームのうちの一方の耳掛けアームが前記第１孔部と、前記第１開口とを貫通した状態において、前記第１孔部は、前記一方の耳掛けアームと着脱可能に係合し、
前記一対の耳掛けアームのうちの他方の耳掛けアームが前記第２孔部と、前記第２開口とを貫通した状態において、前記第２孔部は、前記他方の耳掛けアームと着脱可能に係合し、
前記第１筒部は、筒状又はポケット状であり、
前記第２筒部は、筒状又はポケット状である、マスク本体。
【請求項７】
前記第１筒部は、第３孔部を更に有し、
前記第１孔部と前記第３孔部とは、前記第１筒部の長手方向に沿って所定間隔をおいて配置され、
前記第２筒部は、第４孔部を更に有し、
前記第２孔部と前記第４孔部とは、前記第２筒部の長手方向に沿って所定間隔をおいて配置され、
前記一方の耳掛けアームが前記第３孔部と、前記第１開口とを貫通した状態において、前記第３孔部は、前記一方の耳掛けアームと着脱可能に係合し、
前記他方の耳掛けアームが前記第４孔部と、前記第２開口とを貫通した状態において、前記第４孔部は、前記他方の耳掛けアームと着脱可能に係合する、請求項６に記載のマスク本体。
【請求項８】
前記第１孔部は、前記第１筒部に形成される線状孔であり、
前記第２孔部は、前記第２筒部に形成される線状孔である、請求項６または請求項７に記載のマスク本体。
【請求項９】
請求項１から請求項５のいずれか１項に記載の一対の耳掛けアームと、
請求項６から請求項８のいずれか１項に記載のマスク本体と
を備える、マスク。
【発明の詳細な説明】
【技術分野】
【０００１】
本発明は、耳掛けアーム、マスク本体、及びマスクに関する。
【背景技術】
【０００２】
マスク本体に耳掛け部が接合されたマスクが知られている。このようなマスクとして、特許文献１に記載のマスクは、メガネのテンプルのような一対の耳掛け部（耳掛けアーム）と、保形性を有するマスク本体とを備える。耳掛け部とマスク本体との接合部は、連結されており、角度調整機能付きのねじが設けられている。マスク本体は、応力によって変形した場合であっても、応力から解放されると変形前の形状に復帰する程度の保形性を有する素材で形成されている。
【先行技術文献】
【特許文献】
【０００３】
【特許文献１】特開２０２０−７６９１号公報
【発明の概要】
【発明が解決しようとする課題】
【０００４】
しかしながら、特許文献１に記載のマスクでは、マスク本体に耳掛け部が接合されているため、マスク本体に対して耳掛け部を着脱不可能である。従って、マスクのマスク本体部分を交換することが困難だった。
【０００５】
本発明は上記課題に鑑みてなされたものであり、マスクの装着感を向上させつつマスク本体部分を容易に交換できる耳掛けアーム、マスク本体、及びマスクを提供することを目的とする。
【課題を解決するための手段】
【０００６】
本発明の一局面によれば、耳掛けアームは、アーム部と、耳掛け部と、係合部とを備える。前記耳掛け部は、前記アーム部の長手方向の両端のうちの一方端と接続し、装着者がマスクを装着するときに、前記装着者の耳に掛けられる。前記係合部は、前記アーム部の前記両端のうちの他方端と接続し、前記マスクのマスク本体と着脱可能に係合する。
【０００７】
本発明の耳掛けアームにおいて、前記係合部は、前記アーム部の前記他方端と接続する基端部と、前記基端部と接続し、前記アーム部の長手方向において前記基端部よりも張り出している先端部とを有することが好ましい。
【０００８】
本発明の耳掛けアームにおいて、前記基端部は、前記アーム部の前記他方端と接続する第１基端部と、前記第１基端部と前記先端部との間を連絡する第２基端部とを有することが好ましい。前記第１基端部は、前記アーム部の長手方向において前記第２基端部よりも張り出していることが好ましい。
【０００９】
本発明の耳掛けアームにおいて、前記アーム部は、前記係合部から略直線状に延びることが好ましい。前記装着者が前記マスクを装着した状態において、前記耳掛け部は、前記アーム部の前記一方端から前記耳の上方に向けて曲がり、略半円弧状に延びることが好ましい。
【００１０】
本発明の他の局面によれば、マスク本体は、本体部と、第１筒部と、第２筒部とを備える。前記本体部は、第１端部と第２端部とを有する。前記第１筒部は、前記本体部の前記第１端部に配置され、第１開口と、第１孔部とを有する。前記第２筒部は、前記本体部の前記第２端部に配置され、第２開口と、第２孔部とを有する。一対の耳掛けアームのうちの一方の耳掛けアームが前記第１孔部と、前記第１開口とを貫通した状態において、前記第１孔部は、前記一方の耳掛けアームと着脱可能に係合する。前記一対の耳掛けアームのうちの他方の耳掛けアームが前記第２孔部と、前記第２開口とを貫通した状態において、前記第２孔部は、前記他方の耳掛けアームと着脱可能に係合する。
【００１１】
本発明のマスク本体において、前記第１筒部は、第３孔部を更に有することが好ましい。前記第１孔部と前記第３孔部とは、前記第１筒部の長手方向に沿って所定間隔をおいて配置されることが好ましい。前記第２筒部は、第４孔部を更に有することが好ましい。前記第２孔部と前記第４孔部とは、前記第２筒部の長手方向に沿って所定間隔をおいて配置されることが好ましい。前記一方の耳掛けアームが前記第３孔部と、前記第１開口とを貫通した状態において、前記第３孔部は、前記一方の耳掛けアームと着脱可能に係合することが好ましい。前記他方の耳掛けアームが前記第４孔部と、前記第２開口とを貫通した状態において、前記第４孔部は、前記他方の耳掛けアームと着脱可能に係合することが好ましい。
【００１２】
本発明の更に他の局面によれば、マスクは、上記の一対の耳掛けアームと、上記のマスク本体とを備える。
【発明の効果】
【００１３】
本発明の耳掛けアーム、マスク本体、及びマスクによれば、マスクの装着感を向上させつつマスク本体部分を容易に交換できる。
【図面の簡単な説明】
【００１４】
【図１】本発明の実施形態に係るマスク、耳掛けアーム、及びマスク本体を示す斜視図である。
【図２】（ａ）及び（ｂ）は、本実施形態に係るマスクを示す側面図である。
【図３】（ａ）は、本実施形態に係る耳掛けアームを示す側面図であり、（ｂ）は、本実施形態に係る耳掛けアームを示す平面図である。
【図４】（ａ）は、本実施形態に係る耳掛けアームを示す側面図であり、（ｂ）は、本実施形態に係る耳掛けアームを示す平面図である。
【図５】（ａ）は、本実施形態に係るマスクを示す側面図であり、（ｂ）は、本実施形態に係るマスクを示す一部拡大図である。
【発明を実施するための形態】
【００１５】
以下、本発明の実施形態について、図面を参照しながら説明する。なお、図中、同一又は相当部分については同一の参照符号を付して説明を繰り返さない。
【００１６】
本明細書では、「上」は、マスク１を装着する装着者がマスク１を装着した状態において、例えば顎から眉間に向かう方向を示し、「下」はその逆方向を示す。また、「左」、及び「右」は、装着者がマスク１を装着した状態において、それぞれ、装着者の左耳側、及び右耳側を示す。
【００１７】
図１を参照して、本発明の実施形態に係るマスク１の構成の概要を説明する。図１は、マスク１、マスク本体２０、及び耳掛けアーム１０を示す斜視図である。図１に示すように、マスク１は、マスク本体２０と、一対の耳掛けアーム１０とを備える。マスク１は、例えば、衛生マスクである。
【００１８】
一対の耳掛けアーム１０は、耳掛けアーム１０（１０Ｌ）と、耳掛けアーム１０（１０Ｒ）とによって構成される。耳掛けアーム１０Ｌは、左耳に対応する。耳掛けアーム１０Ｒは、右耳に対応する。耳掛けアーム１０Ｌと耳掛けアーム１０Ｒとは、同様に構成されてもよいし、左右の耳の位置及び形状に応じて異なる形状を有していてもよい。以下、「耳掛けアーム１０Ｌ」と「耳掛けアーム１０Ｒ」との各々を総称して、単に「耳掛けアーム１０」と記載することがある。
【００１９】
耳掛けアーム１０は、アーム部１１と、耳掛け部１２と、係合部１３とを備える。耳掛けアーム１０は、例えば、金属製、又は合成樹脂製である。金属は、例えば、チタンである。合成樹脂は、例えば、ナイロン樹脂である。例えば、耳掛けアーム１０が、チタン製又はナイロン樹脂製である場合、耳掛けアーム１０に熱を加えることにより、装着者の耳の位置及び形状に合わせて耳掛けアーム１０の形状を容易に調整できる。例えば、耳掛けアーム１０が、チタン製である場合、耳掛けアーム１０に対して予め熱処理（例えば、７００℃の熱処理）を施しておくことで、装着者が装着時に耳の位置及び形状に合わせて耳掛けアーム１０を容易に曲げることができる。また、耳掛けアーム１０が、例えば、ナイロン樹脂製である場合、装着者が装着する際に、耳掛けアーム１０に熱風を当てることにより、耳の位置及び形状に合わせて耳掛けアーム１０を容易に曲げることができる。
【００２０】
アーム部１１は、耳掛け部１２と、係合部１３とを接続する。詳細には、アーム部１１は、耳掛け部１２と係合部１３との間にアーム状に延びる。すなわち、アーム部１１の長手方向Ｄ１の両端のうち一方端１１Ａは、耳掛け部１２と接続する。アーム部１１の長手方向Ｄ１の両端のうち他方端１１Ｂは、係合部１３と接続する。
【００２１】
耳掛け部１２は、装着者がマスク１を装着するときに、装着者の耳に掛けられる。耳掛け部１２は、アーム部１１の一方端１１Ａと接続しており、一方端１１Ａから延びる。アーム部１１と耳掛け部１２とが連なる形状は、例えば、眼鏡のテンプル（つる）のような形状である。
【００２２】
係合部１３は、アーム部１１の他方端１１Ｂと接続し、マスク本体２０と着脱可能に係合する。すなわち、係合部１３は、マスク本体２０に対して、取付け及び取外しが可能な状態で係合する。
【００２３】
以上、本実施形態の耳掛けアーム１０によれば、耳掛け部１２は、アーム部１１の一方端１１Ａと接続した状態で耳に掛かる。耳掛け紐とは異なり、耳掛け部１２の一端がマスク本体２０と離隔しているため、耳掛け部１２を眼鏡のテンプルのように耳に掛けることができる。さらに係合部１３がマスク本体２０と着脱可能に係合するため、マスク１によって耳が圧迫されることを低減するとともに、例えば、マスク本体２０を清潔に保つために洗いたいときに、マスク本体２０から耳掛けアーム１０を容易に取り外すことができる。従って、マスク１の装着感を向上させつつマスク本体部分を容易に交換できる。
【００２４】
マスク本体２０は、本体部２１と、第１筒部２２と、第２筒部２３とを備える。マスク本体２０は、マスク１の本体部分であり、いわゆる耳掛け紐を含まない。マスク本体２０の素材は、例えば、布である。布は不織布であってもよく、マスク１を軽量化できる。マスク本体２０は、例えば、装着者の口と鼻とを覆うことが可能な形状である。
【００２５】
本体部２１は、第１端部２１Ａと、第２端部２１Ｂとを有する。本体部２１の形状は、展開された状態において、例えば、略楕円状、又は略矩形状である。本体部２１は、一般的な装着者の顔の凹凸形状に沿うような断面湾曲形状を有し得る。また、本体部２１には、プリーツが形成されていてもよい。本体部２１は、マスク１を装着していない状態において、例えば二つ折りに折り畳まれ得る。
【００２６】
本体部２１の第１端部２１Ａは、本体部２１の左右方向の左側の端部を示す。第１端部２１Ａは、例えば、本体部２１の左上側の隅部を含む。本体部２１の第２端部２１Ｂは、本体部２１の左右方向の右側の端部を示す。第２端部２１Ｂは、例えば、本体部２１の右上側の隅部を含む。
【００２７】
第１筒部２２は、第１端部２１Ａに配置される。第１筒部２２は、例えば、有底筒状、無底筒状、又はポケット状である。第１筒部２２は、例えば、本体部２１の上端辺に沿って延びる。第１筒部２２は、例えば、マスク本体２０が生地状態であるときに、マスク本体２０の端部を筒状に折り返して縫製された部分である。
【００２８】
第１筒部２２は、第１筒２２Ａと、第１開口２２Ｂと、第１孔部２２Ｃとを有する。第１筒２２Ａは、耳掛けアーム１０のアーム部１１を挿入可能な筒である。第１開口２２Ｂは、第１筒２２Ａの長手方向Ｄ２の一端側の開口であり、例えば、左端側の開口である。第１孔部２２Ｃは、第１筒２２Ａに形成される孔であり、例えば、ボタン孔のような線状孔である。第１孔部２２Ｃは、マスク本体２０の外面側に形成されるが、内面側に形成されてもよい。
【００２９】
第２筒部２３は、第１筒部２２と同様に構成されており、第２端部２１Ｂに配置される。第２筒部２３は、例えば、有底筒状、無底筒状、又はポケット状である。第２筒部２３は、例えば、本体部２１の上端辺に沿って延びる。第２筒部２３は、例えば、マスク本体２０が生地状態であるときに、マスク本体２０の端部を筒状に折り返して縫製された部分である。
【００３０】
第２筒部２３は、第２筒２３Ａと、第２開口２３Ｂと、第２孔部２３Ｃとを有する。第２筒２３Ａは、耳掛けアーム１０のアーム部１１を挿入可能な筒である。第２開口２３Ｂは、第２筒２３Ａの長手方向Ｄ３の一端側の開口であり、例えば、右端側の開口である。第２孔部２３Ｃは、第２筒２３Ａに形成される孔であり、例えば、ボタン孔のような線状孔である。第２孔部２３Ｃは、マスク本体２０の外面側に形成されるが、内面側に形成されてもよい。
【００３１】
一対の耳掛けアーム１０のうちの一方の耳掛けアーム１０（１０Ｌ）が第１孔部２２Ｃと、第１開口２２Ｂとを貫通した状態において、第１孔部２２Ｃは、耳掛けアーム１０（１０Ｌ）と着脱可能に係合する。すなわち、第１筒部２２に挿入された耳掛けアーム１０（１０Ｌ）は、第１孔部２２Ｃと着脱可能に係合する。さらに、他方の耳掛けアーム１０（１０Ｒ）が第２孔部２３Ｃと、第２開口２３Ｂとを貫通した状態において、第２孔部２３Ｃは、耳掛けアーム１０（１０Ｒ）と着脱可能に係合する。すなわち、第２筒部２３に挿入された耳掛けアーム１０（１０Ｒ）は、第２孔部２３Ｃと着脱可能に係合する。
【００３２】
以上、本実施形態のマスク本体２０によれば、第１筒部２２の第１孔部２２Ｃは、耳掛けアーム１０（１０Ｌ）の一端側と接続することなく、着脱可能に他端側のみと係合する。同様に、第２孔部２３Ｃは、耳掛けアーム１０（１０Ｒ）の一端側と接続することなく、着脱可能に他端側のみと係合する。従って、マスク１によって耳が圧迫されることを低減するとともに、マスク本体２０から耳掛けアーム１０を容易に取り外すことができる。その結果、マスク１の装着感を向上させつつマスク本体部分を容易に交換できる。さらに、本実施形態の一対の耳掛けアーム１０と、マスク本体２０とを備えるマスク１においても、同様の効果を奏し得る。
【００３３】
次に、図１と、図２（ａ）及び（ｂ）とを参照して、マスク本体２０の第１筒部２２及び第２筒部２３の変形例を説明する。図２（ａ）及び（ｂ）は、マスク１を示す側面図である。図２（ａ）に示すように、第１筒部２２は、第３孔部２２Ｄを更に有することが好ましい。第１孔部２２Ｃと第３孔部２２Ｄとは、第１筒部２２の長手方向Ｄ２に沿って所定間隔Ｓをおいて配置される。所定間隔Ｓは、例えば、８ｍｍである。一方の耳掛けアーム１０（１０Ｌ）が第１筒部２２の第３孔部２２Ｄと、第１開口２２Ｂとを貫通した状態において、第３孔部２２Ｄは、一方の耳掛けアーム１０（１０Ｌ）と着脱可能に係合する。すなわち、耳掛けアーム１０（１０Ｌ）の係合部１３は、第１孔部２２Ｃではなく、第３孔部２２Ｄと係合してもよい。
【００３４】
さらに、図２（ｂ）に示すように、第２筒部２３は、第４孔部２３Ｄを更に有することが好ましい。第２孔部２３Ｃと第４孔部２３Ｄとは、第１孔部２２Ｃと第３孔部２２Ｄとの間隔と同様に、第２筒部２３の長手方向Ｄ３に沿って所定間隔Ｓをおいて配置される。他方の耳掛けアーム１０（１０Ｒ）が第４孔部２３Ｄと、第２開口２３Ｂとを貫通した状態において、第４孔部２３Ｄは、他方の耳掛けアーム１０（１０Ｒ）と着脱可能に係合する。すなわち、耳掛けアーム１０（１０Ｒ）の係合部１３は、第２孔部２３Ｃではなく、第４孔部２３Ｄと係合してもよい。
【００３５】
これらの好ましい例によれば、装着者Ｕは、例えば、鼻ＵＮと係合部１３との距離Ｍに応じて、第１孔部２２Ｃと第３孔部２２Ｄとのうち、好みの係合位置を選択でき、同様に、第２孔部２３Ｃと第４孔部２３Ｄとのうち、好みの係合位置を選択できる。従って、装着者Ｕは、マスク１による耳ＵＥ、鼻ＵＮ、口ＵＭ、及び顎ＵＪへの圧迫感を容易に軽減できる。その結果、装着感をより向上させることができる。
【００３６】
引き続き、図１〜図３を参照して、耳掛けアーム１０の構成の詳細を説明する。図３（ａ）は、耳掛けアーム１０を示す側面図である。図３（ｂ）は、耳掛けアーム１０を示す平面図である。図２（ａ）〜及び図３（ｂ）に示すように、アーム部１１と耳掛け部１２との全体形状は、側面視において、例えば、略Ｓ字状である。詳細には、アーム部１１は、係合部１３から長手方向Ｄ１に沿って略直線状に延びる。略直線状は、直線状及び緩やかな曲線状を含む。装着者Ｕがマスク１を装着した状態において、耳掛け部１２は、アーム部１１の一方端１１Ａから耳ＵＥの上方に向けて曲がり、略半円弧状に延びる。略半円弧状は、半円弧状、弧状、略放物線状を含む。
【００３７】
詳細には、図３（ａ）及び（ｂ）に示すように、耳掛け部１２は、接続部１２Ａと、中間部１２Ｂと、終端部１２Ｃとを有する。耳掛け部１２の接続部１２Ａは、アーム部１１の一方端１１Ａと接続し、一方端１１Ａから耳ＵＥの上方に向けて曲がっている。中間部１２Ｂは、略半円弧状に曲がっている。終端部１２Ｃから中間部１２Ｂまでの高さＨは、耳ＵＥの上下方向の長さに対応する。
【００３８】
耳掛けアーム１０が略Ｓ字状に構成されることにより、耳ＵＥに対して上方から耳掛け部１２を掛け外しできる。すなわち、耳ＵＥに対して耳掛け部１２を掛け外しするために、口ＵＭ及び鼻ＵＮから耳ＵＥに向けて、マスク本体２０を押し付けたり、耳掛け部１２を引っ張ったりしなくてよい。その結果、マスク１を容易に掛け外しできる。
【００３９】
さらに、あたかも眼鏡をかけるように耳掛け部１２を耳ＵＥに乗せるので、マスク本体２０による張力が耳掛けアーム１０を介して耳ＵＥに作用することを軽減できる。従って、マスク１装着中に耳ＵＥに痛みや圧迫感が生じることを軽減できる。さらに、イヤリングのような耳ＵＥ周りのアクセサリーＡＣと耳掛け部１２とが干渉し合うことを抑制できる。
【００４０】
さらに、耳掛け部１２は、アーム部１１よりも細いことが好ましい。また、耳掛けアーム１０全体は、平面視において、緩やかに湾曲していることが好ましい。眼鏡を掛ける場合に、眼鏡のテンプルと耳掛け部１２とが干渉し合うことを低減できるからである。
【００４１】
係合部１３は、基端部１３１と、先端部１３２とを有する。基端部１３１は、アーム部１１の他方端１１Ｂと接続する。先端部１３２は、基端部１３１と接続し、アーム部１１の長手方向Ｄ１において基端部１３１よりも張り出している。先端部１３２は、例えば、略三角形板状である。詳細には、長手方向Ｄ１との直交方向に沿った先端部１３２の幅は、第１筒部２２の第１孔部２２Ｃ、及び第２筒部２３の第２孔部２３Ｃの幅よりも大きい。先端部１３２の幅は、例えば、１３ｍｍである。
【００４２】
アーム部１１の長手方向Ｄ１から見た場合に先端部１３２が基端部１３１よりも張り出していることで、第１孔部２２Ｃは、係合部１３の先端部１３２が第１筒部２２の長手方向Ｄ２に沿って第１開口２２Ｂ側に移動することを規制する。すなわち、係合部１３が第１孔部２２Ｃから抜けることを抑制できる。同様に、第２孔部２３Ｃは、係合部１３の先端部１３２が第２筒部２３の長手方向Ｄ３に沿って第２開口２３Ｂ側に移動することを規制する。すなわち、係合部１３が第２孔部２３Ｃから抜けることを抑制できる。その結果、簡素な構成で耳掛けアーム１０をマスク本体２０と着脱可能に係合できる。
【００４３】
次に、図１と図４とを参照して、耳掛けアーム１０の係合部１３の変形例を説明する。係合部１３の基端部１３１は、第１基端部１３１Ａと、第２基端部１３１Ｂとを有することが好ましい。第１基端部１３１Ａは、アーム部１１の他方端１１Ｂと接続する。第２基端部１３１Ｂは、例えば、横長の矩形板状である。第２基端部１３１Ｂは、第１基端部１３１Ａと係合部１３の先端部１３２との間を連絡する。第１基端部１３１Ａは、アーム部１１の長手方向Ｄ１において第２基端部１３１Ｂよりも張り出している。長手方向Ｄ１との直交方向に沿った第１基端部１３１Ａの幅は、第１筒部２２の第１孔部２２Ｃ、及び第２筒部２３の第２孔部２３Ｃの幅よりも大きい。第１基端部１３１Ａの幅は、例えば、８ｍｍである。
【００４４】
この好ましい例によれば、アーム部１１の長手方向Ｄ１から見た場合に、第１基端部１３１Ａが第２基端部１３１Ｂよりも張り出していることで、第１孔部２２Ｃは、第１基端部１３１Ａが第１筒部２２の長手方向Ｄ２に沿って第１開口２２Ｂ側から見た奥側に移動することを規制する。すなわち、第２基端部１３１Ｂが第１孔部２２Ｃから抜けることを抑制できる。同様に、第２孔部２３Ｃは、第１基端部１３１Ａが第２筒部２３の長手方向Ｄ３に沿って第２開口２３Ｂ側から見た奥側に移動することを規制する。すなわち、第２基端部１３１Ｂが第２孔部２３Ｃから抜けることを抑制できる。従って、耳掛けアーム１０の係合位置の位置ずれを簡素な構成で低減できる。その結果、マスク１の装着感を更に向上させることができる。
【００４５】
次に、図１と図５とを参照して、耳掛けアーム１０の係合部１３を第１筒部２２の第１孔部２２Ｃと係合させる動作を説明する。なお、係合部１３を第１孔部２２Ｃの他の孔部、又は、第２筒部２３の第２孔部２３Ｃ等に係合させる動作も同様である。図５（ａ）は、マスク１を示す側面図である。図５（ｂ）は、マスク１を示す一部拡大図である。
【００４６】
図５（ａ）に示すように、まず、耳掛け部１２の終端部１２Ｃを第１孔部２２Ｃから挿入する。そして、第１筒部２２の長手方向Ｄ２の奥側から第１開口２２Ｂ側に向かう押込み方向Ｄ２１に終端部１２Ｃを押し込む。
【００４７】
図５（ｂ）に示すように、係合部１３の第１基端部１３１Ａが第１筒部２２の第１孔部２２Ｃを超えるように押し込むことで、第１孔部２２Ｃが第２基端部１３１Ｂに嵌まる。これにより、係合部１３は、第１孔部２２Ｃと係合する。
【００４８】
また、マスク本体２０は伸縮性を有する素材であるため、耳掛けアーム１０を取り外す場合、押込み方向Ｄ２１の逆方向である引出し方向Ｄ２２に向けて係合部１３を第１孔部２２Ｃから引っ張ることで、第１孔部２２Ｃが若干広がり、第１基端部１３１Ａを第１孔部２２Ｃから引き抜くことができる。このように、耳掛けアーム１０を脱着可能な状態で、マスク本体２０に耳掛けアーム１０を容易に係合させることができる。
【００４９】
以上、図面を参照しながら本発明の実施形態を説明した。但し、本発明は、上記の実施形態に限られるものではなく、その要旨を逸脱しない範囲で種々の態様において実施することが可能である。また、複数の実施形態の複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００５０】
（１）図１〜図５を参照して説明したように、マスク１は、衛生マスクであったが、本発明はこれに限られない。マスク１において、マスク本体２０と一対の耳掛けアーム１０とが着脱可能に係合しさえすればよい。マスク１は、例えば、防煙マスク、防毒マスク、及び防塵マスクであってもよい。
【００５１】
（２）図１を参照して説明したように、マスク本体２０の素材は、例えば、布であったが、本発明はこれに限られない。マスク本体２０の素材は、ウレタンのような樹脂であってもよい。マスク本体２０の素材がウレタンである場合に、マスク本体２０は非装着時に例えば布のように二つ折りに折り畳まれ得る。本発明によれば、マスク本体２０が布のように保形性の低い柔らかな素材であっても、耳掛けアーム１０をマスク本体２０に簡素な構成で着脱可能に係合させることができる。
【００５２】
（３）図１〜図５（ｂ）を参照して説明したように、耳掛けアーム１０のアーム部１１と耳掛け部１２とは、略Ｓ字状に延びていたが、本発明はこれに限られない。耳掛け部１２が眼鏡のテンプルのように耳ＵＥに掛かりさえすればよい。例えば、アーム部１１と耳掛け部１２とは、略Ｊ字状に延びていてもよい。
【００５３】
（４）図２を参照して説明したように、第１筒部２２は、第１孔部２２Ｃと第３孔部２２Ｄとのような２つの孔部を有していたが、本発明はこれに限られない。図５（ａ）及び（ｂ）に示すように、第１筒部２２の孔部は、３つ以上であってもよいし、第２筒部２３の孔部も、３つ以上であってもよい。３段階以上のサイズ調整が可能になるからである。
【００５４】
（５）図１〜図２（ｂ）を参照して説明したように、マスク本体２０の本体部２１は、一般的な装着者Ｕの顔の凹凸形状に沿うような断面湾曲形状を有したり、プリーツが形成されていてもよいが、本発明はこれに限られない。例えば、図５（ａ）及び（ｂ）に示すように、第１端部２１Ａと第２端部２１Ｂとの各々は、左右方向に延びる山型縫合せＮを有することが好ましい。山型縫合せＮは、例えば、マスク本体２０が生地状態であるときに、本体部２１の第１端部２１Ａの左端と、第２端部２１Ｂの右端から、それぞれ、Ｖ字状切欠きを形成し、切断辺を縫い合わせた部分である。山型縫合せＮにより、マスク本体２０の頬に対応する部分の立体性が高まる。さらに、装着者Ｕの顎ＵＪへのマスク本体２０の密着感が高まる。従って、マスク１の装着感を更に向上させることができる。
【産業上の利用可能性】
【００５５】
本発明は、耳掛けアーム、マスク本体、及びマスクを提供するものであり、産業上の利用可能性を有する。
【符号の説明】
【００５６】
１          マスク
１０、１０Ｒ、１０Ｌ    耳掛けアーム
１１        アーム部
１１Ａ      一方端
１１Ｂ      他方端
１２        耳掛け部
１３        係合部
１３１      基端部
１３１Ａ    第１基端部
１３１Ｂ    第２基端部
１３２      先端部
２０        マスク本体
２１        本体部
２１Ａ      第１端部
２１Ｂ      第２端部
２２        第１筒部
２２Ａ      第１筒
２２Ｂ      第１開口
２２Ｃ      第１孔部
２２Ｄ      第３孔部
２３        第２筒部
２３Ａ      第２筒
２３Ｂ      第２開口
２３Ｃ      第２孔部
２３Ｄ      第４孔部
Ｄ１        アーム部の長手方向
Ｄ２        第１筒部の長手方向
Ｄ３        第２筒部の長手方向
Ｓ          所定間隔
Ｕ          装着者
ＵＥ        耳
【要約】
【課題】マスクの装着感を向上させつつマスク本体部分を容易に交換できる耳掛けアームを提供する。
【解決手段】耳掛けアーム１０は、アーム部１１と、耳掛け部１２と、係合部１３とを備える。耳掛け部１２は、アーム部１１の長手方向Ｄ１の両端１１Ａ、１１Ｂのうちの一方端１１Ａと接続し、装着者がマスク１を装着するときに、装着者の耳に掛けられる。係合部１３は、アーム部１１の両端１１Ａ、１１Ｂのうちの他方端１１Ｂと接続し、マスク１のマスク本体２０と着脱可能に係合する。
【選択図】図１【図１】
0006969829.tif 000002
【図２】
0006969829.tif 000003
【図３】
0006969829.tif 000004
【図４】
0006969829.tif 000005
【図５】
0006969829.tif 000006